(57)【要約】【課題】ＶＬＲでの認証処理がスキップされることによって不正ＵＩＭ端末からの位置登録の要求があった場合でも、この位置登録の実行を回避する。【解決手段】第一の交換機から位置登録の要求を受け付けた移動通信端末と同一の識別情報を有する移動通信端末について第二の交換機から位置登録の要求を受け付ける際に、第一の交換機からの位置登録の要求の受け付けから第二の交換機からの位置登録の要求の受け付けまでの時間間隔に基づいて、第二の交換機からの位置登録の要求が不正使用の移動通信端末によるものであるか否かを判断する。不正使用の移動通信端末であるとの判断である場合には、第二の交換機を管理するオペレータ等にその旨を通知する。【選択図】  図１
2010263426.tif 000002
【特許請求の範囲】
【請求項１】
移動通信端末から接続される第一の交換機及び第二の交換機から位置登録の要求を受け付ける位置登録受付装置であって、
前記第一の交換機及び前記第二の交換機から位置登録の要求を受け付ける受付部と、
前記第一の交換機から位置登録の要求を受け付けた移動通信端末と同一の識別情報を有する移動通信端末について前記第二の交換機から位置登録の要求を受け付ける際に、前記第一の交換機からの位置登録の要求の受け付けから前記第二の交換機からの位置登録の要求の受け付けまでの時間間隔に基づいて、前記第二の交換機からの位置登録の要求が不正使用の移動通信端末によるものであるか否かを判断する判断部と、
を有することを特徴とする位置登録受付装置。
【請求項２】
前記第一の交換機からの位置登録の要求の受け付けから、前記第二の交換機からの位置登録の要求の受け付けまでの時間間隔の基準となる基準時間情報を保持する基準時間情報保持部をさらに有し、
前記判断部は、前記時間間隔と、前記基準時間情報と、に基づいて、前記第二の交換機からの位置登録の要求が不正使用の移動通信端末によるものであるか否かを判断すること
を特徴とする請求項１に記載の位置登録受付装置。
【請求項３】
前記判断部における判断が不正使用の移動通信端末によるものであるとの判断である場合には、外部にその旨の通知を行う通知部をさらに有する請求項１又は２に記載の位置登録受付装置。
【請求項４】
前記第二の交換機は、前記移動通信端末のローミング先の移動体通信網に存在する交換機であることを特徴とする請求項１から３のいずれか一に記載の位置登録受付装置。
【請求項５】
移動通信端末から接続される第一の交換機及び第二の交換機から位置登録の要求を受け付ける位置登録受付方法であって、
前記第一の交換機及び前記第二の交換機から位置登録の要求を受け付ける受付ステップと、
前記第一の交換機から位置登録の要求を受け付けた移動通信端末と同一の識別情報を有する移動通信端末について前記第二の交換機から位置登録の要求を受け付ける際に、前記第一の交換機からの位置登録の要求の受け付けから前記第二の交換機からの位置登録の要求の受け付けまでの時間間隔に基づいて、前記第二の交換機からの位置登録の要求が不正使用の移動通信端末によるものであるか否かを判断する判断ステップと、
を有することを特徴とする位置登録受付方法。
【発明の詳細な説明】
【技術分野】
【０００１】
本発明は、不正なＵＩＭカード（User Identity Module Card）やＳＩＭカード（Subscriber Identity Module Card）が挿入されている移動通信端末からの位置登録を検出する方法に関する。
【背景技術】
【０００２】
移動通信システムにおいては、移動通信端末がネットワークに接続する際に移動通信端末に挿入されているＵＩＭカード（もしくはＳＩＭカード）を認証することで移動通信端末の正当性をチェックしている。この認証処理は在圏のＶＬＲ（Visitor Location Register）にて実行される（なお、本明細書中においてはＶＬＲが加入者交換機としての機能をも有しているとして、以下説明する）。また、近年では正規のＵＩＭカードをコピーした不正なＵＩＭカードを挿入した移動通信端末（以下、「不正ＵＩＭ端末」という）の不正使用が問題となっている。しかしながら、上記のようなＶＬＲでの認証処理が正当に実行されていれば、不正ＵＩＭ端末がＶＬＲにアタッチしても認証処理によって接続が拒否されるため問題はない。
【先行技術文献】
【特許文献】
【０００３】
【特許文献１】特開平８−２３７７２７号公報
【発明の概要】
【発明が解決しようとする課題】
【０００４】
ところで、例えば在圏ＶＬＲがローミング網に設置されている場合、認証処理の実行は完全にそのローミング網のオペレータ、すなわち移動通信サービス事業者に一任することとなり、ホーム網では認証処理が正当に実行されているか否かを確認する手段がない。
したがって、もしローミング網の在圏ＶＬＲにて認証処理をスキップする不正があった場合、不正ＵＩＭ端末がそのＶＬＲにアタッチすると通信網に接続が可能となってしまうという問題がある。
【０００５】
図６は、ローミング網の在圏ＶＬＲにて認証処理をスキップした場合の従来の移動通信システムの動作を示す図である。図６に示す移動通信システムは、ＨＬＲ（Home Location Register）６００と、ＶＬＲ６４０、６５０と、から構成される。ここで、ＶＬＲ６４０は正規ＶＬＲであり、ＶＬＲ６５０は不正ＶＬＲであるとする。「正規ＶＬＲ」とは、移動通信端末から位置登録の要求があった場合に認証処理を正当に実行する正規のＶＬＲを意味し、「不正ＶＬＲ」とは、移動通信端末から位置登録の要求があった場合に認証処理をスキップして適切な動作を行わないＶＬＲを意味する（以下、本明細書を通じて同様）。
【０００６】
以下、正規のＵＩＭカード６３０が挿入されている正規ＵＩＭ端末６１０が正規ＶＬＲ６４０に位置登録を要求した後に、正規のＵＩＭカード６３０のコピーである不正なＵＩＭカード６３０’が挿入されている不正ＵＩＭ端末６２０が不正ＶＬＲ６５０に位置登録の要求をした場合について説明する。
【０００７】
まず、Ａ’社網にて正規ＵＩＭ端末６１０が正規ＶＬＲ６４０にアタッチすると（ＳＳ１）、正規ＶＬＲ６４０はＨＬＲ６００に対して乱数と、その乱数および認証キーから算出した演算結果とを、認証情報として取得する（ＳＳ２）。正規ＶＬＲ６４０は正規ＵＩＭ端末６１０に対してＨＬＲ６００から取得した乱数を送信し、正規ＵＩＭ端末６１０ではその乱数と認証キーから算出した演算結果とを正規ＶＬＲ６４０に対して返送する（ＳＳ３）。正規ＶＬＲ６４０では、ＨＬＲ６００と正規ＵＩＭ端末６１０とから受信した演算結果を照合し一致すれば正規ＵＩＭ端末６１０を認証する（ＳＳ４）。正規ＵＩＭ端末６１０が認証されると、正規ＶＬＲからＨＬＲ６００に対して位置登録信号が送信され、正規ＵＩＭ端末６１０のネットワークへの登録が完了する（ＳＳ５）。
【０００８】
その後、不正な認証キーを保持しているＵＩＭカード６３０’が挿入されている不正ＵＩＭ端末６２０がローミング先のＢ’社網にて不正ＶＬＲ６５０へアタッチしたとする（ＳＳ６）。不正ＶＬＲ６５０はＨＬＲ６００に対して乱数と、その乱数および認証キーから算出した演算結果とを、認証情報として取得する（ＳＳ７）。不正ＶＬＲ６５０は不正ＵＩＭ端末６２０に対してＨＬＲ６００から取得した乱数を送信し、不正ＵＩＭ端末６２０ではその乱数と認証キーから算出した演算結果とを不正ＶＬＲ６５０に対して返送する（ＳＳ８）。
【０００９】
ここで、通常であればＶＬＲ６５０にて認証処理が行われ、ＨＬＲ６００と不正ＵＩＭ端末６２０とから受信した演算結果を照合する。しかしながら、この不正ＶＬＲ６５０では、例えば不正な設定がされており、この認証処理（ＳＳ９）がスキップされているとする。よって、照合処理がスキップされているため、そのまま不正ＶＬＲ６５０からＨＬＲ６００に対して位置登録信号が送信され（ＳＳ１０）、不正ＵＩＭ端末６２０がネットワークへ登録されてしまう。
【００１０】
以上のように、不正ＵＩＭ端末６２０がＨＬＲ６００にて位置登録されて移動体通信網への接続が可能となった場合には、不正ＵＩＭ端末６２０からの不正な発着信が可能となり、発信時の課金に関しては不正ＵＩＭカード６３０’のコピー元である正規ＵＩＭカード６３０が挿入されている正規ＵＩＭ端末６１０側に課金されるという問題が生じる。また本来、正規ＵＩＭ端末６１０への着信されるべき呼び出しが不正ＵＩＭ端末６２０への着信となってしまう等の問題も生じる。
【００１１】
また、上記のようにＶＬＲが認証処理をスキップしてしまうのは、意図的でなくとも、ＶＬＲの設定ミスもしくは工事中のような場合でも起こりうる。よって、移動通信端末がローミング中でなくとも、同一の移動体通信網内でも同様の問題は起こりうる。
そこで本発明は、上記問題点を解決し、ＶＬＲでの認証処理がスキップされることによって不正ＵＩＭ端末からの位置登録の要求があった場合でも、この位置登録の実行を回避することが可能な位置登録受付装置および位置登録受付方法の実現を目的とする。
【課題を解決するための手段】
【００１２】
そこで、上記課題を解決するために、本発明は、移動通信端末から接続される第一の交換機及び第二の交換機から位置登録の要求を受け付ける位置登録受付装置であって、前記第一の交換機及び前記第二の交換機から位置登録の要求を受け付ける受付部と、前記第一の交換機から位置登録の要求を受け付けた移動通信端末と同一の識別情報を有する移動通信端末について前記第二の交換機から位置登録の要求を受け付ける際に、前記第一の交換機からの位置登録の要求の受け付けから前記第二の交換機からの位置登録の要求の受け付けまでの時間間隔に基づいて、前記第二の交換機からの位置登録の要求が不正使用の移動通信端末によるものであるか否かを判断する判断部と、を有することを特徴とする位置登録受付装置を提案する。
【００１３】
この構成により、第一の交換機と第二の交換機から同一の識別情報を有する移動通信端末についての位置登録の要求があった場合に、位置登録要求の時間間隔が物理的にあり得ないような時間間隔である場合等には、不正ＵＩＭ端末等による位置登録であると判断することができる。
また、位置登録受付装置は、前記第一の交換機からの位置登録の要求の受け付けから、前記第二の交換機からの位置登録の要求の受け付けまでの時間間隔の基準となる基準時間情報を保持する基準時間情報保持部をさらに有し、前記判断部は、前記時間間隔と、前記基準時間情報と、に基づいて、前記第二の交換機からの位置登録の要求が不正使用の移動通信端末によるものであるか否かを判断するようになっていてもよい。
【００１４】
この構成により、第一の交換機と第二の交換機から同一の識別情報を有する移動通信端末についての位置登録の要求があった場合に、位置登録要求の時間間隔が物理的にあり得ないような時間間隔である場合等には、不正ＵＩＭ端末等による位置登録であると判断することができる。
また、位置登録受付装置は、前記判断部における判断が不正使用の移動通信端末によるものであるとの判断である場合には、外部にその旨の通知を行う通知部をさらに有していてもよい。
【００１５】
この構成により、第二の交換機からの位置登録の要求が不正ＵＩＭ端末等によるものであると判断した場合には、例えば第二の交換機が存在する移動体通信網のオペレータに対して、第二の交換機の認証処理が適切に行われているか否か等について確認を求めることができる。
また、前記第二の交換機は、前記移動通信端末のローミング先の移動体通信網に存在する交換機であってもよい。
この構成により、ローミング先の移動体通信網に存在する第二の交換機から同一の識別情報を有する移動通信端末についての位置登録の要求があった場合に、位置登録要求の時間間隔が物理的にあり得ないような時間間隔である場合等には、不正ＵＩＭ端末等による位置登録であると判断することができる。
【００１６】
また、本発明は、移動通信端末から接続される第一の交換機及び第二の交換機から位置登録の要求を受け付ける位置登録受付方法であって、前記第一の交換機及び前記第二の交換機から位置登録の要求を受け付ける受付ステップと、前記第一の交換機から位置登録の要求を受け付けた移動通信端末と同一の識別情報を有する移動通信端末について前記第二の交換機から位置登録の要求を受け付ける際に、前記第一の交換機からの位置登録の要求の受け付けから前記第二の交換機からの位置登録の要求の受け付けまでの時間間隔に基づいて、前記第二の交換機からの位置登録の要求が不正使用の移動通信端末によるものであるか否かを判断する判断ステップと、を有することを特徴とする位置登録受付方法を提案する。
この構成により、第一の交換機と第二の交換機から同一の識別情報を有する移動通信端末についての位置登録の要求があった場合に、位置登録要求の時間間隔が物理的にあり得ないような時間間隔である場合等には、不正ＵＩＭ端末等による位置登録であると判断することができる。
【発明の効果】
【００１７】
以上説明したように、本発明によれば、ＶＬＲでの認証処理がスキップされることによって不正ＵＩＭ端末からの位置登録の要求があった場合でも、この位置登録の実行を回避することが可能である。これにより、不正ＵＩＭ端末による通信を防止することが可能である。
【図面の簡単な説明】
【００１８】
【図１】本実施形態に係る位置登録受付装置を利用した移動通信システムの構成例を示す図である。
【図２】ＨＬＲ１００の構成例を示す図である。
【図３】基準時間情報１１０の具体例を示す図である。
【図４】ＨＬＲ１００の構成例を示すブロック図である。
【図５】本実施形態に係る移動通信システムの処理の流れを示すシーケンス図である。
【図６】ローミング網の在圏ＶＬＲにて認証処理をスキップした場合の従来の移動通信システムの動作を示す図である。
【発明を実施するための形態】
【００１９】
以下、本発明の実施の形態について図面を参照しながら説明する。
（移動通信システムの構成）
まず、本実施形態に係る位置登録受付装置を利用した移動通信システムの構成について、図１を用いて説明する。図１は、移動通信システムの構成を示す図である。
図１に示す移動通信システムは、ＨＬＲ１００と、ＶＬＲ６４０、６５０とを含んで構成される。ＶＬＲ６４０はホーム網であるＡ社網に設置され、ＶＬＲ６５０はローミング網であるＢ社網に設置されている。また、ＶＬＲ６４０は正規ＶＬＲであり、ＶＬＲ６５０は不正ＶＬＲであると仮定して、以下説明する。なお、図１におけるＨＬＲ１００が本実施形態に係る位置登録受付装置に該当する。
【００２０】
図１において、正規ＵＩＭ端末６１０が正規ＶＬＲ６４０を介してＨＬＲ１００に位置登録された後に（ＳＳ１〜ＳＳ５）、不正ＵＩＭ端末６２０から不正ＶＬＲ６５０を介してＨＬＲ１００に位置登録の要求がなされるまで（ＳＳ６〜ＳＳ１０）の移動通信システムの動作は、図６に示した従来の移動通信システムの動作と同様である。
ここで、本実施形態に係る移動通信システムでは、ＨＬＲ１００が基準時間情報１１０を保持している点が特徴である。この基準時間情報１１０は、同一のＵＩＭカードが挿入されている移動通信端末が、Ａ社網で位置登録を行った後にローミング先のＢ社網で位置登録を行う場合の最短の時間間隔であると想定される基準時間を示すものである。
【００２１】
現行の移動通信システムにおいてはＶＬＲに、一意に識別可能な識別子が付されているため、その識別子によって各ＶＬＲがどの移動体通信事業者のＶＬＲであるかが判断でき、ＶＬＲの位置も判断できる。つまり、例えば図１の場合であれば、正規ＶＬＲ６４０と不正ＶＬＲ６５０との距離が算出できる。また、移動通信端末を携行するユーザが利用可能な交通手段等から移動通信端末（すなわち、移動通信端末を携行しているユーザの最大移動速度。以下、同様。）の最大移動速度を算出することが可能である。よって、ＶＬＲどうしの距離と、移動通信端末の最大移動速度から位置登録をする最短時間間隔（基準時間）を予め設定しておくことができる。
【００２２】
つまり、不正ＵＩＭ端末６２０により不正ＶＬＲ６５０から位置登録の要求が行われると（ＳＳ１０）、ＨＬＲ１００は、同一の識別情報を有する正規ＵＩＭ端末６１０により正規ＶＬＲ６４０から位置登録の要求が行われた時（ＳＳ５）の時刻と、不正ＶＬＲ６５０から位置登録の要求が行われた時（ＳＳ１０）の時刻との差分を算出する。なお、「識別情報」とは、移動通信端末を一意に識別するための情報であり、例えばＵＩＭカードに記録されているＩＭＳＩ（International Mobile Subscriber Identity：加入者識別子）である。
【００２３】
そして、この位置登録の時間間隔が基準時間情報１１０に示される基準時間よりも短い間隔である場合には、Ｂ社網での位置登録の要求（ＳＳ１０）は不正ＵＩＭ端末による位置登録の要求であると判断する。つまり、正規のＵＩＭカード６３０と同一の識別情報を有する不正のＵＩＭカード６３０’が挿入されている不正ＵＩＭ端末６２０が存在しており、正規ＵＩＭ端末６１０と不正ＵＩＭ端末６２０とが別々の場所で位置登録を行っていると推測することができるからである。
【００２４】
そして、ＨＬＲ１００は、不正ＶＬＲ６５０からの位置登録の要求が不正ＵＩＭ端末によるものであると判断した場合には、ローミング先のオペレータ１２０に対してＶＬＲ６５０についての問い合わせ等のメッセージを出力する（ＳＴ１）。なぜならば、ＶＬＲ６５０が移動通信端末の認証処理を適切に実行していれば、不正ＵＩＭ端末６２０が位置登録をしようとしても認証処理で認証されず、ＶＬＲ６５０からの位置登録の要求はなされないはずである。それにも関わらず、ＵＩＭ端末６２０による位置登録の要求がＶＬＲ６５０から送信されるということは、ＶＬＲ６５０にて認証処理が適切に行われていないことが想定されるからである。
【００２５】
（ＨＬＲの構成）
次に、本実施形態に係る位置登録受付装置であるＨＬＲ１００の構成について、図２を用いて説明する。図２は、ＨＬＲ１００の構成例を示す図である。ＨＬＲ１００は、一般的なＨＬＲの構成の他に、受付部２１０と、判断部２２０と、基準時間情報保持部２３０と、通知部２４０と、を有する。
受付部２１０は、ＶＬＲ６４０、６５０から位置登録の要求を受け付ける。
判断部２２０は、ＶＬＲ６４０から位置登録の要求を受け付けたＵＩＭ端末６１０と同一の識別情報を有するＵＩＭ端末６２０についてＶＬＲ６５０から位置登録の要求を受け付けると、ＶＬＲ６４０からの位置登録の要求の受け付けからＶＬＲ６５０からの位置登録の要求の受け付けまでの時間間隔と、ＶＬＲ６５０の基準時間とを比較する。位置登録の時間間隔が基準時間よりも短い場合には、ＶＬＲ６５０からの位置登録の要求は不正ＵＩＭ端末によるものであると判断する。
基準時間情報保持部２３０は、ＶＬＲ６５０の基準時間を示す基準時間情報１１０を保持する。また、ＶＬＲ６５０以外のＶＬＲについても基準時間情報を保持している。
【００２６】
（基準時間情報）
ここで、基準時間情報１１０の具体的な内容について説明する。図３は、基準時間情報１１０の具体例を示す図である。情報３００は、各国における移動体通信事業者の各ＶＬＲについての基準時間を示す。ここで、基準時間情報１１０として必須であるのは、ＶＬＲ番号と基準時間である。ただし、基準時間情報１１０は、他の情報を含んでいてもよい。ＶＬＲ番号はＶＬＲを全世界で一意に識別する番号であり、この番号は位置登録要求の際にＨＬＲ１００に送信されてくるため、どのＶＬＲから位置登録がなされようとしているのかが判断できる。よって、Ａ社網のＶＬＲ６４０から他社網のＶＬＲまでの距離が分かるため、この距離とＵＩＭ端末の最大移動速度とから位置登録の最短の時間間隔（基準時間）を決定しておくことができる。
なお、情報３００において基準時間が「０」となっているのは（符号３１０）、近隣国であるため基準時間を設定するのが適当でない場合や、信頼できるオペレータであるため判断部２２０における処理を省略する意味である。このように設定することで、ＨＬＲ１００での処理負荷を軽減することが可能である。
【００２７】
図２に戻り、通知部２４０は、判断部２２０において、ＶＬＲ６５０からの位置登録の要求が不正ＵＩＭ端末によるものであるとの判断である場合には、ローミング先のオペレータ１２０にその旨の通知を行う。ここで、「通知」とは、ＶＬＲ６５０の認証処理が適切に行われていない旨を通知したり、ＶＬＲ６５０について設定の確認を要求する場合等を広く含む意味である。また、通知を行う際には、不正な位置登録の検出時刻、ＩＭＳＩ、ＭＳＩＳＤＮ（Mobile Subscriber ISDN Number：電話番号）、位置登録信号を送信したＶＬＲ番号の情報等を出力する。また、ＵＩＭ端末６２０に対して切断させる処理とすることも可能である。
【００２８】
（ＨＬＲの具体的な構成）
ここで、ＨＬＲ１００のより具体的な構成について、図４を用いて説明する。図４は、ＨＬＲ１００の構成例を示すブロック図である。ＨＬＲ１００は、ＣＰＵ（Central Processing Unit）４０１、不揮発性記憶装置４０２、ＲＡＭ（Random Access Memory）４０３、ネットワークインタフェース４０４、等を備えている。
不揮発性記憶装置４０２には、基準時間情報１１０と、受付モジュール４２０と、判断モジュール４３０と、通知モジュール４４０と、が保持されている。受付モジュール４２０、判断モジュール４３０、通知モジュール４４０は、それぞれ、受付部２１０、判断部２２０、通知部２４０を実現するためのモジュールである。また、不揮発性記憶装置４０２には、一般的なＨＬＲの機能を実現するための各種のモジュールも記憶されている（図示しない）。また、図４では、基準時間情報１１０が不揮発性記憶装置４０２に保持されており、基準時間情報保持部２３０は不揮発性記憶装置４０２によって実現されている。
【００２９】
このような構成において、一般的なコンピュータと同様に、不揮発性記憶装置４０２に記憶されている基準時間情報１１０、各モジュール４２０、４３０、４４０及びその他の各種のモジュールが必要に応じてＲＡＭ４０３をワークエリアとして展開され、それらがＣＰＵ４０１にて実行されることで、各種の処理を行う。
なお、ネットワークインタフェース４０４は、ＶＬＲ６４０、６５０等と接続するためのインタフェースであり、有線又は無線の通信インタフェースである。具体的には、光ファイバ、同軸ケーブル、無線等により通信を行うためのインタフェースである。
【００３０】
（移動通信システムの動作）
次に、図５を用いて、本実施形態に係る移動通信システムの動作について説明する。
まず、Ａ’社網にてＵＩＭ端末６１０がＶＬＲ６４０にアタッチをする（Ｓ５０１）。ＵＩＭ端末６１０からアタッチがあると、ＶＬＲ６４０はＨＬＲ１００に対して認証情報を要求し（Ｓ５０３）、乱数と、その乱数および認証キーから算出した演算結果とを、認証情報として取得する（Ｓ５０５）。
【００３１】
次に、ＶＬＲ６４０は、ＵＩＭ端末６１０に対してＨＬＲ１００から取得した乱数を送信し（Ｓ５０７）、ＵＩＭ端末６１０は、その乱数とＵＩＭカード６３０に記憶されている認証キーとにより算出した演算結果をＶＬＲ６４０に送信する（Ｓ５０９）。ＶＬＲ６４０では、ＨＬＲ１００とＵＩＭ端末６１０とから受信した演算結果を照合し、一致すればＵＩＭ端末６１０を認証する（Ｓ５１１）。ＵＩＭ端末６１０が認証されると、ＶＬＲ６４０からＨＬＲ１００に対して位置登録の要求がなされ（Ｓ５１３）、ＨＬＲ１００では、受付部２１０にて位置登録の要求を受け付け、ＵＩＭ端末６１０の位置登録が完了する（Ｓ５１７）。この時、ＨＬＲ１００では、位置登録の要求を受け付けた時刻を保持しておく（Ｓ５１５）。
【００３２】
次に、ＵＩＭ端末６２０がローミング先のＢ’社網にてＶＬＲ６５０へアタッチする（Ｓ５１９）。ＵＩＭ端末６２０からアタッチがあると、ＶＬＲ６５０はＨＬＲ１００に対して認証情報を要求し（Ｓ５２１）、乱数と、その乱数および認証キーから算出した演算結果とを、認証情報として取得する（Ｓ５２３）。
次に、ＶＬＲ６５０は、ＵＩＭ端末６２０に対してＨＬＲ１００から取得した乱数を送信し（Ｓ５２５）、ＵＩＭ端末６２０は、その乱数とＵＩＭカード６３０’に記憶されている（不正な）認証キーとにより算出した演算結果をＶＬＲ６５０に送信する（Ｓ５２７）。
【００３３】
ここで、通常であればＶＬＲ６５０にて認証処理が行われ（Ｓ５２９）、ＨＬＲ１００とＵＩＭ端末６２０とから受信した演算結果を照合するが、このＶＬＲ６５０では、例えば不正な設定がされており認証処理がスキップされる。よって、そのままＶＬＲ６５０からＨＬＲ１００に対して位置登録の要求がなされ、ＨＬＲ１００では、受付部２１０にて位置登録の要求を受け付ける（Ｓ５３１）。この時、ＨＬＲ１００では、位置登録の要求を受け付けた時刻を保持する（Ｓ５３３）。
【００３４】
そして、ＵＩＭ端末６１０とＵＩＭ端末６２０の識別情報は同一であるので、判断部２２０にて、ＶＬＲ６５０からの位置登録の要求が不正ＵＩＭ端末によるものであるか判断する（Ｓ５３５）。具体的には、ステップＳ５１５及びステップＳ５３３で保持した位置登録要求の受付時刻から位置登録要求の時間間隔を算出し、この時間間隔と、基準時間情報保持部２３０に保持されている基準時間情報１１０に示される基準時間とを比較する。その結果、位置登録要求の時間間隔が基準時間よりも短い場合には、不正ＵＩＭ端末による位置登録要求であると判断する。
【００３５】
ステップＳ５３５での判断が、不正ＵＩＭ端末によるものであるとの判断である場合には、通知部２４０にてローミング先のオペレータに対して、その旨の通知を行う（Ｓ５３７）。また、ステップＳ５３５での判断が、不正ＵＩＭ端末によるものではないとの判断である場合には、ＵＩＭ端末６２０の位置登録処理を実行する（Ｓ５３９）。
【００３６】
（実施形態における用語と請求項における用語との対応）
なお、本実施形態において、ＨＬＲ１００は、本発明における「位置登録受付装置」に対応する。また、ＵＩＭ端末６１０、６２０は、本発明における「移動通信端末」に対応する。また、ＶＬＲ６４０は、本発明における「第一の交換機」に対応する。また、ＶＬＲ６５０は、本発明における「第二の交換機」に対応する。
また、本実施形態において、図５中のステップＳ５１３及びＳ５３１は、本発明における「受付ステップ」に対応する。図５中のステップＳ５３５は、本発明における「判断ステップ」に対応する。
【００３７】
（他の実施の形態）
また、上記の実施形態においては、ＵＩＭカードが不正にコピーされる場合について説明したが、ＵＩＭカード以外のＳＩＭカードが不正にコピーされる場合にも適用可能である。
また、上記の実施形態においては、移動通信端末がＵＩＭ端末であるとしたが、ＵＩＭ端末に限らず、他のＳＩＭカードが挿入される携帯電話機等であってもよい。
また、上記の実施形態においては、基準時間情報１１０をＶＬＲごとに保持することとしたが（図３）、海外ローミングを対象とする場合には、基準情報を事業者ごとに保持することとしてもよい。さらに、ある地域ごとに基準情報を保持する等となっていてもよい。複数のＶＬＲにおいてホーム網のＶＬＲからの距離がほぼ同一であれば、必ずしもＶＬＲごとに保持する必要はないからである。これにより、ＨＬＲ１００にて保持する基準時間情報１１０の容量を抑えることができる。
また、上記の実施形態においては、ＶＬＲ６５０がローミング先の移動体通信網に存在することとしたが、ＶＬＲでの認証処理のスキップは設定ミスや工事中等の理由でも発生しうるので、ＶＬＲ６５０はＶＬＲ６４０と同一の移動体通信網に存在するものであってもよい。
【００３８】
また、上記の実施形態においては、不正ＵＩＭ端末による位置登録要求であるか否かを判断する際に位置登録の時間間隔と基準時間とを比較することとしたが、距離や速度で比較するようになっていてもよい。距離を比較するとは、位置登録の時間間隔とＵＩＭ端末の最大移動速度とから算出される各位置登録時におけるＵＩＭ端末間の距離が、位置登録要求を実行したＶＬＲどうしの距離よりも短いか否かを比較することである。また、速度を比較するとは、位置登録の時間間隔と位置登録要求を実行したＶＬＲどうしの距離とから算出される速度が、ＵＩＭ端末の最大移動速度よりも大きいか否かを比較することである。
また、上記の実施形態においては、通知部２４０による通知先はローミング先のオペレータ１２０としたが、他の装置等であってもよい。
（まとめ）
以上説明したように、本発明によれば、ＶＬＲでの認証処理がスキップされることによって不正ＵＩＭ端末からの位置登録の要求があった場合でも、この位置登録の実行を回避することが可能である。これにより、不正ＵＩＭ端末による通信を防止することが可能である。
【符号の説明】
【００３９】
１００、６００  ＨＬＲ
１１０  基準時間情報
１２０  オペレータ
２１０  受付部
２２０  判断部
２３０  基準時間情報保持部
２４０  通知部
４０１  ＣＰＵ
４０２  不揮発性記憶装置
４０３  ＲＡＭ
４０４  ネットワークインタフェース
４２０  受付モジュール
４３０  判断モジュール
４４０  通知モジュール
６１０  正規ＵＩＭ端末
６２０  不正ＵＩＭ端末
６３０  正規のＵＩＭカード
６３０’  不正コピーのＵＩＭカード
６４０  正規ＶＬＲ
６５０  不正ＶＬＲ
【図１】
2010263426.tif 000003
【図２】
2010263426.tif 000004
【図３】
2010263426.tif 000005
【図４】
2010263426.tif 000006
【図５】
2010263426.tif 000007
【図６】
2010263426.tif 000008